(57)【要約】    【課題】  電力被供給装置に内蔵されるモータの回生エネルギによる異常な電圧上昇を抑えるとともに、回生エネルギの有効利用を図ったスイッチング電源装置を提供する。    【解決手段】  モータＭ１を内蔵する電力被供給装置に該直流電流を供給するスイッチング電源装置において、モータＭ１によって発生される回生エネルギに基づき充電が行われるコンデンサＣ４を設け、モータＭ１の電源電圧が所定値を越えたとき、モータＭ１によるコンデンサＣ４への充電を開始させる。そして、コンデンサＣ４とスイッチング電源装置に含まれる整流平滑回路の平滑コンデンサＣ２，Ｃ３との間に設けられたスイッチＳＷ１が、電力被供給装置が低電力消費の動作モードで動作するとき導通状態になる。【選択図】      図１
2006180629.tif 000002
【特許請求の範囲】
【請求項１】
トランスに流れる直流電流をスイッチング制御手段がスイッチングすることにより交流電流を発生させ、該交流電流を基に整流平滑回路を介して直流電流を生成し、モータを内蔵する電力被供給装置に該直流電流を供給するスイッチング電源装置において、
前記電力被供給装置が低電力消費の動作モードで動作するとき、前記整流平滑回路の出力電圧に応じて、前記スイッチング制御手段を間欠動作させる間欠動作制御手段と、
前記モータによって発生される回生エネルギに基づき充電が行われる蓄電手段と、
前記モータの電源電圧を監視する電圧検出手段と、
前記電圧検出手段によって前記電源電圧が所定値を越えたことが検出されたとき、前記モータによる前記蓄電手段への充電を開始させる充電制御手段と、
前記蓄電手段と前記整流平滑回路の平滑コンデンサとの間に設けられ、前記電力被供給装置が低電力消費の動作モードで動作するとき導通状態になるスイッチ手段と
を有することを特徴とするスイッチング電源装置。
【請求項２】
前記モータの回転動力を利用して発電を行う発電機と、
前記発電機の交流出力電力を整流平滑する整流平滑手段と、
前記整流平滑手段と前記蓄電手段との間に接続され、前記整流平滑手段から前記蓄電手段への導通を制御する導通制御手段と
を更に有することを特徴とする請求項１記載のスイッチング電源装置。
【請求項３】
前記整流平滑回路の出力側に接続され、該整流平滑回路の出力電圧を安定化する直流電圧安定化手段を更に有することを特徴とする請求項２記載のスイッチング電源装置。
【請求項４】
前記直流電圧安定化手段と前記電力被供給装置との間に接続され、前記直流電圧安定化手段から前記電力被供給装置に供給される電流量が所定値よりも小さいとき、前記スイッチ手段および前記間欠動作制御手段に対して、前記電力被供給装置が低電力消費の動作モードで動作していることを示す信号を送るモード信号送信手段を更に有することを特徴とする請求項３記載のスイッチング電源装置。
【発明の詳細な説明】
【技術分野】
【０００１】
本発明は、スイッチング電源装置に関し、特に、トランスに流れる直流電流をスイッチング制御手段がスイッチングすることにより交流電流を発生させ、該交流電流を基に整流平滑回路を介して直流電流を生成し、モータを内蔵する電力被供給装置に該直流電流を供給するスイッチング電源装置に関する。
【背景技術】
【０００２】
環境問題に対する消費者の意識の向上に伴って、様々な電気機器において省エネルギ化が注目されており、機器内で無駄に消費されている電力の削減や有効活用が強く望まれている。
【０００３】
ところで、モータを使用する電気機器は世の中に多数存在し、これらの機器においてモータが動作状態から停止状態に遷移する時に発生する回生エネルギは、電源ラインの電圧上昇を招く等の弊害があるため、ダミー負荷で消費させることなどが行われ、無駄に捨てられているのが現状である。
【０００４】
なお、モータを使用する電気機器として、例えばオフィス用の複写装置やプリンタなどがあるが、こうした電気機器では、電源を業務時間の間、継続的にオンにしておくのが普通であり、そのため、そうした電気機器では、ユーザが電気機器に対して所定時間に亘って操作を行わず、機器もその間動作しない場合には、機器の動作モードを、消費電力が少ない待機モードに遷移させることが一般的に行われ、この待機モードでは、機器内部の必要の無い箇所には電力を供給しないよう制御されている。
【０００５】
また、商用交流電源から、電気機器内部の電気回路を動作させる電圧を作り出すために広く普及しているスイッチング電源装置においても、電力使用の高効率化が強く望まれている。スイッチング電源装置における電力損失は主に、スイッチ素子がスイッチングする時に発生するロスや、出力負荷の状態に拘わらず常時発生しているスイッチング制御素子でのロスからなる。一方近年、機器の小型化が進み、スイッチング電源装置にも小型化の要請があるが、スイッチング電源装置のサイズを決定すると言ってもよいトランスを小型化するためには、トランスコアの磁気飽和を防ぐために、より高速でスイッチングする必要が生じる。ただし、高速でスイッチングを行うということは、単位時間あたりのスイッチ回数が増えることになり、スイッチングロスが増加してしまう。
【０００６】
これらの問題を解決するために、従来、電源出力負荷の大きさに応じて制御方法を切り替える方式などが採用されている。つまり、負荷が小さい状態ではスイッチング周波数を低減してもトランスの磁気飽和が起こらないため、電気機器の動作状態に応じてスイッチング周波数を低減させたり、スイッチング電源装置を間欠動作させたりして（例えば、特許文献１，２）、これによってロスを低減するようにしている。
【０００７】
図４は、間欠動作を行う方式の従来のスイッチング電源装置の一例を示す回路図である。
【０００８】
入力された商用交流（ＡＣ）はダイオードＤ１、コンデンサＣ１により整流平滑され、トランスＴ１の一次巻線に入力される。一次巻線と直列に接続されたスイッチングトランジスタＱ１は、制御部１によってオンオフ制御を行われる。スイッチングトランジスタＱ１のスイッチ動作によってトランスＴ１の二次巻線に誘起されるパルス電圧は、ダイオードＤ２、コンデンサＣ２，Ｃ３により整流平滑され直流出力電圧Ｖ１となる。この直流出力電圧Ｖ１を電圧検出部２により検出し、フォトカプラＰＣ１を介して制御部１にフィードバックする。制御部１は、出力電圧Ｖ１が常に一定となるよう、スイッチングトランジスタＱ１のオン期間を制御する。
【０００９】
電圧検出部３は通常モード時には動作せず、このため、制御部１は上述のような制御を常時行うが、電圧検出部３は、待機モードへのモード切替信号を受けると、直流出力電圧Ｖ１に応じて、フォトカプラＰＣ２を介して制御部１に間欠動作信号を出力して、制御部１を間欠的に動作するように制御する。
【００１０】
一般に、スイッチング電源装置では、回路素子の発熱やトランス仕様の制約などを考慮して、定格負荷時にほぼ最高効率を達成できるよう回路設計を行うが、図４に示すスイッチング電源装置では、低消費電力化を図るため、重負荷時と軽負荷時とで制御モードを切り替え、これにより、重負荷時に最高効率が発揮できるようにするとともに、軽負荷時に効率低下が発生することを抑えるようにしている。
【００１１】
すなわち、スイッチング電源装置が装着されている装置本体から、待機モードへのモード切替信号が入力されると、これを受けた電圧検出部３が、フォトカプラＰＣ２を介して制御部１に間欠動作信号を出力して、制御部１を間欠的に動作するように制御する。スイッチング電源装置は、制御部１の動作を間欠的に行ってスイッチングロスを低減させるようにする。
【００１２】
図５は、図４に示すスイッチング電源装置の待機モード時における出力電圧Ｖ１の波形を示す図である。
【００１３】
電圧検出部３はヒステリシスコンパレータによって構成されており、待機モード時には、２つの異なる閾値（ＶＨ、ＶＬ）によってコンパレータ出力が切り替わる。すなわち、電圧検出部３は、出力電圧Ｖ１が所定の閾値ＶＨに到達したことを検出すると、フォトカプラＰＣ２を経由して制御部１の動作（スイッチングトランジスタＱ１のスイッチ動作）を停止させる。制御部１が動作状態の時には、トランスＴ１の二次側のコンデンサＣ２，Ｃ３に電荷が充電され、制御部１の動作が停止された瞬間、コンデンサＣ２，Ｃ３から負荷側への放電が開始される。その結果、出力電圧Ｖ１が漸減して所定の閾値ＶＬまで低下すると、電圧検出部３は、フォトカプラＰＣ２を経由して再び制御部１の動作を開始させる。
【００１４】
このようにして、待機モード時には、図５に示すように、出力電圧Ｖ１が、所定の閾値ＶＨと所定の閾値ＶＬとの間で増減するとともに、出力電圧Ｖ１が所定の閾値ＶＬから所定の閾値ＶＨまで漸増する期間Ｔoｎでは、制御部１は動作状態となり、出力電圧Ｖ１が所定の閾値ＶＨから所定の閾値ＶＬまで漸減する期間Toffでは、制御部１は動作停止状態となる。
【００１５】
放電期間Toffは、コンデンサＣ２，Ｃ３の各容量と負荷の状態とによって異なるが、例えば、所定の閾値ＶＨを３．８Ｖ、所定の閾値ＶＬを３．０Ｖ、負荷に流れる電流を１００ｍＡ、コンデンサＣ２，Ｃ３の合計容量を５Ｆとすると、下記の式によって求めることができる。
【００１６】
Toff＝（３．８−３．０）×５／０．１＝４０（秒）
なお、所定の閾値ＶＨ及び所定の閾値ＶＬの値を、スイッチング電源装置に接続される負荷の入力電圧精度を満たす程度に設定することによって、スイッチング電源装置の間欠動作に起因する電圧リップルが問題にならないようにしている。
【特許文献１】特開２００３−３２４９５３号公報
【特許文献２】特開２００１−４５７４９号公報
【発明の開示】
【発明が解決しようとする課題】
【００１７】
しかしながら、上記従来のスイッチング電源装置の負荷側の電力被供給装置にモータが含まれる場合、このモータへの電力供給停止時に発生する回生エネルギによって、モータの電源ラインに異常な電圧上昇が発生し、周辺回路に悪影響を及ぼすという問題があるとともに、この回生エネルギを有効に利用したいという要請があった。
【００１８】
本発明はこのような問題点に鑑みてなされたものであって、電力被供給装置に内蔵されるモータの回生エネルギによる異常な電圧上昇を抑えるとともに、回生エネルギの有効利用を図ったスイッチング電源装置を提供することを目的とする。
【課題を解決するための手段】
【００１９】
上記目的を達成するために、請求項１記載の発明によれば、トランスに流れる直流電流をスイッチング制御手段がスイッチングすることにより交流電流を発生させ、該交流電流を基に整流平滑回路を介して直流電流を生成し、モータを内蔵する電力被供給装置に該直流電流を供給するスイッチング電源装置において、前記電力被供給装置が低電力消費の動作モードで動作するとき、前記整流平滑回路の出力電圧に応じて、前記スイッチング制御手段を間欠動作させる間欠動作制御手段と、前記モータによって発生される回生エネルギに基づき充電が行われる蓄電手段と、前記モータの電源電圧を監視する電圧検出手段と、前記電圧検出手段によって前記電源電圧が所定値を越えたことが検出されたとき、前記モータによる前記蓄電手段への充電を開始させる充電制御手段と、前記蓄電手段と前記整流平滑回路の平滑コンデンサとの間に設けられ、前記電力被供給装置が低電力消費の動作モードで動作するとき導通状態になるスイッチ手段とを有することを特徴とするスイッチング電源装置が提供される。
【００２０】
また、請求項２記載の発明によれば、前記スイッチング電源装置が、前記モータの回転動力を利用して発電を行う発電機と、前記発電機の交流出力電力を整流平滑する整流平滑手段と、前記整流平滑手段と前記蓄電手段との間に接続され、前記整流平滑手段から前記蓄電手段への導通を制御する導通制御手段とを更に有することを特徴とする。
【発明の効果】
【００２１】
本発明によれば、モータを内蔵する電力被供給装置に該直流電流を供給するスイッチング電源装置において、前記モータによって発生される回生エネルギに基づき充電が行われる蓄電手段を設け、前記モータの電源電圧が所定値を越えたとき、前記モータによる前記蓄電手段への充電を開始させる。そして、前記蓄電手段と前記スイッチング電源装置に含まれる整流平滑回路の平滑コンデンサとの間に設けられたスイッチ手段が、前記電力被供給装置が低電力消費の動作モードで動作するとき導通状態になる。
【００２２】
これにより、電力被供給装置に内蔵されるモータの回生エネルギによりモータの電源ラインに異常な電圧上昇が発生することを抑えることができるとともに、回生エネルギが低電力消費動作モードのときに有効利用される。
【００２３】
また、前記モータの回転動力を利用して発電機が発電を行い、前記前記蓄電手段に対して充電を行う。これにより、モータの回転動力を利用して得られた発電電力が、低電力消費動作モードのときに利用され、該動作モードでのより一層の低電力消費化が実現される。
【発明を実施するための最良の形態】
【００２４】
以下、本発明を実施するための最良の形態について、図面を参照して説明する。
【００２５】
〔第１の実施の形態〕
図１は、本発明の第１の実施の形態に係るスイッチング電源装置の構成を示す回路図である。本スイッチング電源装置の構成は、図４に示すスイッチング電源装置と基本的に同じであるので、同一部分には同一の参照符号を付してその説明を省略する。
【００２６】
第１の実施の形態では、本スイッチング電源装置の出力側に接続される電力被供給装置（例えば、電子写真方式の画像形成装置）にモータ（例えば、感光体駆動用モータや用紙搬送用モータ、定着器駆動用モータ等）が含まれ、このモータへの電力供給停止時の回生エネルギをコンデンサに充電し、このコンデンサに充電されたエネルギを待機モード時に消費して、電力消費の高効率化を図るようにする。この待機モードは、例えば、画像形成装置における電源オン後や画像形成動作終了後の一定期間であって画像形成の指示を待っている期間において画像形成装置に設定される動作モードである。
【００２７】
図１において、モータＭ１は、本スイッチング電源装置の出力側に接続される電力被供給装置に含まれるモータである。第１の実施の形態では、図４に示すスイッチング電源装置と比べて、新たに電圧検出部４、充電制御部５、コンデンサＣ４、スイッチＳＷ１が設けられる。
【００２８】
電圧検出部４は、モータＭ１の電源ラインの電圧を検出する。充電制御部５は、電圧検出部４で検出された電圧に応じて、モータＭ１の回生エネルギに基づくコンデンサ４への充電を行うか否かを決定する。コンデンサ４は、スーパーキャパシタのような高容量コンデンサで構成するが、これに代わって、二次電池で構成してもよい。スイッチＳＷ１は、モード切替信号によって動作し、待機モードのときオンして、コンデンサ４からスイッチング電源装置の出力側への放電を可能にする。
【００２９】
モータＭ１へ電力供給が停止すると、モータＭ１は慣性によって回転を継続し、この回転によって電力（回生エネルギ）が発生してしまう。すなわち例えば、画像形成装置において、画像形成動作が終了し各部のモータの駆動が停止したときに該電力が発生する。この発生した電力によりモータＭ１の電源ラインの電圧が上昇してしまうという現象が生じるが、電圧が上昇すると、この電源ラインに接続されている周辺回路に悪影響を及ぼしてしまうため、通常、ダミー負荷によって回生エネルギを消費させて電圧上昇を防止している。一方、第１の実施の形態では、この回生エネルギをコンデンサＣ４に蓄えておき、待機モード時に使用するようにする。
【００３０】
図１において、モータＭ１は、電源電圧Ｖ２を供給されることにより回転する。電源電圧Ｖ２の供給が停止されると、モータＭ１は慣性力により少しの間、回転し、この回転によって回生エネルギが発生し、その結果、電源電圧Ｖ２よりも大きい電圧がモータＭ１の電源ラインに発生する。電圧検出部４が、モータＭ１の電源ラインの電圧を監視し、電源電圧Ｖ２よりも大きい所定の電圧を越えた電圧の発生を検知すると、充電制御部５に検知信号を送る。検知信号を受けた充電制御部５は導通し、モータＭ１からの回生エネルギによる電流をコンデンサＣ４に送り、コンデンサＣ４に蓄えさせる。なお、検知信号を受けていないときの充電制御部５は非導通であり、回生エネルギが発生したときのみ導通状態となる。
【００３１】
コンデンサＣ４は、スイッチＳＷ１を介してスイッチング電源装置の出力側に接続され、電力被供給装置が待機モードに入ると、スイッチＳＷ１が導通してスイッチング電源装置の出力側と接続される。
【００３２】
図２は、図１に示す第１の実施の形態におけるスイッチング電源装置の待機モード時における出力電圧Ｖ１の波形を示す図である。
【００３３】
図２において、波形Ｗ１は、図４に示す従来のスイッチング電源装置における待機モード時の出力電圧Ｖ１の波形であり、波形Ｗ２は、図１に示す第１の実施の形態のスイッチング電源装置における待機モード時の出力電圧Ｖ１の波形である。すなわち、第１の実施の形態におけるスイッチング電源装置では、コンデンサＣ４が設けられているので、待機モード時における出力電圧Ｖ１の漸減期間Toffが、コンデンサＣ２，Ｃ３，Ｃ４からの放電の継続時間で決まり、図４に示す従来のスイッチング電源装置よりも、コンデンサＣ４の容量分だけ長くなる。
【００３４】
例えば、所定の閾値ＶＨを３．８Ｖ、所定の閾値ＶＬを３．０Ｖ、負荷に流れる電流を１００ｍＡ、コンデンサＣ２，Ｃ３の合計容量を５Ｆ、コンデンサＣ４の容量を３Ｆとすると、第１の実施の形態におけるスイッチング電源装置では、待機モード時における出力電圧Ｖ１の漸減期間Toffは、下記の式によって求めることができる。
【００３５】
Toff＝（３．８−３．０）×（５＋３）／０．１＝６４（秒）
同じ条件の下で算出される従来のスイッチング電源装置における待機モード時の出力電圧Ｖ１の漸減期間Toffは、前述したように４０秒であったから、コンデンサＣ４が追加された第１の実施の形態における漸減期間Toffは、従来よりも２４秒だけ長くなっていることが分かる。
【００３６】
これによって、第１の実施の形態では、追加したコンデンサＣ４の容量分に相当する時間だけ、制御部１の動作（スイッチングトランジスタＱ１のスイッチ動作）が停止されている漸減期間Toffが長くなり、より一層の低消費電力化を実現できる。また、モータＭ１で発生する回生エネルギが待機モード時に有効に利用されることになる。
【００３７】
なお、コンデンサＣ４に対する充電は、待機モード突入初期においては、モータＭ１からの回生エネルギによるが、それ以降はスイッチング電源装置から行われる。
【００３８】
〔第２の実施の形態〕
次に、本発明の第２の実施の形態を説明する。
【００３９】
図３は、第２の実施の形態におけるスイッチング電源装置の構成を示す回路図である。本スイッチング電源装置の構成は、図１に示す第１の実施の形態におけるスイッチング電源装置と基本的に同じであるので、同一部分には同一の参照符号を付してその説明を省略する。
【００４０】
第２の実施の形態では、モータＭ１の回転動力を受けて回転する発電機ＤＭ１を新たに設けて、この発電出力によりコンデンサＣ４を充電するとともに、スイッチング電源装置の出力側にＤＣ-ＤＣコンバータ７と、該ＤＣ-ＤＣコンバータ７の出力側に電流検出部８とを新たに設け、ＤＣ-ＤＣコンバータ７は、間欠動作によって生じた電圧リップルを吸収して出力電圧Ｖ１を安定化し、電流検出部８は、モード切替信号を出力するようにして、電力被供給装置からモード切替信号を貰わなくても済むようにする。
【００４１】
発電機ＤＭ１は、モータＭ１から回転動力を伝達されて回転することによって発電を行い、得られた交流電力は、整流ダイオードＤ３と平滑コンデンサＣ５によって直流化される。直流化された電力は、充電制御部６を介してコンデンサＣ４に充電される。充電制御部６は、整流ダイオードＤ３および平滑コンデンサＣ５からの直流電力の出力状態と、コンデンサＣ４における充電状態とに基づいて、導通を制御するものであり、例えば、整流ダイオードＤ３および平滑コンデンサＣ５から直流電力が出力されており、かつ、コンデンサＣ４が未だ充電できる状態であれば導通され、直流電力は、充電制御部６を介してコンデンサＣ４に充電される。
【００４２】
ＤＣ-ＤＣコンバータ７は、昇降圧コンバータ回路によって構成され、所望の出力電圧Ｖ３よりも入力電圧Ｖ１が低い場合には昇圧を行い、入力電圧Ｖ１が高い場合には降圧を行い、これによって、入力電圧Ｖ１に含まれる、間欠動作によって生じた電圧リップル分を吸収する。
【００４３】
ＤＣ-ＤＣコンバータ７と電力被供給装置（図示せず、出力電圧Ｖ３が供給される装置）との間には電流検出部８が設けられ、出力電流の監視が行われる。電流検出部８では、出力電流値が所定の値よりも小さい場合、電力被供給装置が待機モードに入っていると判断し、スイッチＳＷ１及び電圧検出部３に、待機モードへのモード切替信号を送る。
【００４４】
第１の実施の形態と同様に、コンデンサＣ４はスイッチＳＷ１を介してコンデンサＣ２，Ｃ３と接続されており、スイッチＳＷ１は、待機モードへのモード切替信号を受けると導通する。
【００４５】
第２の実施の形態において、待機モード時における制御部１の動作（スイッチングトランジスタＱ１のスイッチ動作）が停止している、出力電圧Ｖ１の漸減期間Toffは、例えば、所定の閾値ＶＨを４．５Ｖ、所定の閾値ＶＬを１．５Ｖ、負荷に流れる電流を１００ｍＡ、コンデンサＣ２，Ｃ３の合計容量を５Ｆ、コンデンサＣ４の容量を５Ｆとすると、下記の式のように求めることができる。
【００４６】
Toff＝（４．５−１．５）×（５＋５）／０．１＝３００（秒）
従来のスイッチング電源装置における待機モード時の出力電圧Ｖ１の漸減期間Toffは、前述したように４０秒であったから、第２の実施の形態における漸減期間Toffは、従来よりも２６０秒だけ長くなっていることが分かる。これは、ＤＣ-ＤＣコンバータ７を設けることにより、所定の閾値ＶＨと所定の閾値ＶＬとの閾値幅を増やすことができたことと、発電機ＤＭ１による充電により、コンデンサＣ４の容量を増加させることができたこととによって、実現している。
【００４７】
なお、コンデンサＣ４に対する充電は、通常モードには発電機ＤＭ１により、待機モード突入初期においてはモータＭ１からの回生エネルギにより、待機モード突入初期以降はスイッチング電源装置から行われる。
【００４８】
以上のように、第２の実施の形態では、モータＭ１の回転駆動力を利用して駆動される発電機ＤＭ１から出力される電力をコンデンサＣ４に蓄えることから、コンデンサＣ４の容量を大きく設定でき、これによって、待機モード時における制御部１の動作（スイッチングトランジスタＱ１のスイッチ動作）が停止している期間Toffが長くなり、本スイッチング電源装置におけるより一層の低消費電力化を実現できる。
【００４９】
また、ＤＣ-ＤＣコンバータ７によって、制御部１の間欠動作時にも、本スイッチング電源装置は、安定化された電圧Ｖ３を出力することが可能となり、これに伴って、所定の閾値ＶＨと所定の閾値ＶＬとの閾値幅を増やすことができ、待機モード時における制御部１の動作が停止している期間Toffが長くなり、本スイッチング電源装置におけるより一層の低消費電力化を実現できる。
【００５０】
また、電流検出部８を設けることによって、電力被供給装置からモード切替信号をもらわなくても、スイッチング電源装置単独で、モード切替を行うことが可能となった。
【００５１】
なお、本発明は、画像形成装置の待機モードだけでなく、一定時間画像形成装置を操作しないと移行する省エネルギモード時において、冷却ファンモータ等のモータ停止時の回生エネルギを蓄える場合にも適用できる。
【００５２】
また、本発明は、画像形成装置以外の電子機器に用いられるスイッチング電源にも適用可能である。
【図面の簡単な説明】
【００５３】
【図１】本発明の第１の実施の形態に係るスイッチング電源装置の構成を示す回路図である。
【図２】図１に示す第１の実施の形態におけるスイッチング電源装置の待機モード時における出力電圧Ｖ１の波形を示す図である。
【図３】第２の実施の形態におけるスイッチング電源装置の構成を示す回路図である。
【図４】間欠動作を行う方式の従来のスイッチング電源装置の一例を示す回路図である。
【図５】図４に示すスイッチング電源装置の待機モード時における出力電圧Ｖ１の波形を示す図である。
【符号の説明】
【００５４】
１：制御部（スイッチング制御手段）
２：電圧検出部
３：電圧検出部（間欠動作制御手段）
４：電圧検出部（電圧検出手段）
５：充電制御部（充電制御手段）
６：充電制御部（導通制御手段）
７：ＤＣ-ＤＣコンバータ（直流電圧安定化手段）
８：電流検出部（モード信号送信手段）
ＡＣ：商用交流電源
Ｃ１〜Ｃ５：コンデンサ
Ｃ３，Ｃ４：（平滑コンデンサ）
Ｃ４：（蓄電手段）
Ｄ１〜Ｄ３：ダイオード
Ｄ２，Ｃ２，Ｃ３：（整流平滑回路）
Ｄ３，Ｃ５：（整流平滑手段）
ＤＭ１：発電機
Ｍ１：モータ
ＰＣ１〜ＰＣ２：フォトカプラ
Ｑ１：スイッチングトランジスタ（スイッチング制御手段）
ＳＷ１：スイッチ（スイッチ手段）
Ｔ１：トランス
【図１】
2006180629.tif 000003
【図２】
2006180629.tif 000004
【図３】
2006180629.tif 000005
【図４】
2006180629.tif 000006
【図５】
2006180629.tif 000007